(57)【要約】      （修正有）【課題】本考案は手に持って使用できるスケートに関し、より詳しくは靴スケートや下駄スケートと共に用いて、逆立ら等の曲芸も円滑に行なうことができる手に持つスケートを提供する。【解決手段】本発明の手に持つスケートは、基台部（２）の上部に握り部（１）を有し、基台部（２）の下部に刃部（３）を有することを特徴とし、基台部（２）の下部に複数の刃部（３）を有しても良く、基台部（２）の下部に１本又は複数本の支持材（４）を介して刃部（３）を有しても良い。さらには刃部（３）を１個又は複数の車輪（５）としても良い。【選択図】図１
0003121874.tif 000002
【実用新案登録請求の範囲】
【請求項１】
基台部（２）の上部に握り部（１）を有し、基台部（２）の下部に刃部（３）を有することを特徴とする手に持つスケート。
【請求項２】
基台部（２）の上部に握り部（１）を有し、基台部（２）の下部に複数の刃部（３）を有することを特徴とする手に持つスケート。
【請求項３】
基台部（２）の下部に１本又は複数本の支持部（４）を介して刃部（３）を有することを特徴とする請求項１又は請求項２記載の手に持つスケート。
【請求項４】
基台部（２）の上部に握り部（１）を有し、基台部（２）の下部に１個又は複数の車輪（５）を有することを特徴とする手に持つスケート。
【考案の詳細な説明】
【技術分野】
【０００１】  本考案は手に持って使用できるスケートに関し、より詳しくは足に履くスケートといっしょに用いて、曲芸である逆立ちでも滑走することが可能な手に持つスケートに関する。
【背景技術】
【０００２】  従来のスケートは足に履く靴スケートや、過去においては下駄スケートが知られていた。又、足乗せボードの下部にスケート刃や路面用ローラー装置を設け、足乗せボード上に両足を乗せて滑走する滑走ボード（特許文献１）や、足のひざとすねに装着する装着部材と氷面を滑るための滑り部材が一体となった運動用具を足に装着し、また、手に装着する装着部材と氷面を滑るための滑り部材が一体となった運動用具を手に装着して、四つんばいで氷面上を滑走する運動用具（特許文献２）等が知られていた。
【特許文献１】特許公開  平８−３３７４８
【特許文献２】特許公開  平９−２７６４７０
【考案の開示】
【考案が解決しようとする課題】
【０００３】  従来の靴スケートや下駄スケートは足に履いて使用するのみであり、氷上で逆立ち等の曲芸を行なうためには手に上部な手袋等を装着して行なう必要があり、滑りが悪く、円滑な曲芸ができないといった課題を有していた。【０００４】  特許文献１の「滑走ボード」は、１枚の足乗せボード上に両足を乗せて滑走するので靴スケートや下駄スケートとは異なる表現が可能であるが、逆立ち等の曲芸を円滑に行なうことはできないといった課題を有していた。【０００５】  特許文献２の「運動用具」は、足のひざとすね及び手に装着して滑走するので、手に装着したスケートにより逆立ち等の曲芸は可能であるが、ひざとすねに装着したものでは四つんばいでの滑走を強いられることになり、通常の靴スケートや下駄スケートのように、スピード感のある滑らかな滑走ができないといった課題を有していた。又、手に装着したスケートは手に固定されているので、手に装着したスケートの交換や着脱時の自由度が制限されるといった課題を有していた。【０００６】  そこで本発明の目的は、従来の靴スケートや下駄スケートと共に用いて、着脱性が良好で、逆立ち等の曲芸も円滑に行なうことができる手に持つスケートを提供することにある。
【課題を解決するための手段】
【０００７】  本考案の手に持つスケートは、  基台部（２）の上部に握り部（１）を有し、基台部（２）の下部に刃部（３）を有することを特徴とする。【０００８】  また、基台部（２）の下部に複数の刃部（３）を有することを特徴とする。【０００９】  また、基台部（２）の下部に１本又は複数本の支持部（４）を介して刃部（３）を有することを特徴とする。【００１０】  さらには基台部（２）の上部に握り部（１）を有し、基台部（２）の下部に１個又は複数の車輪（５）を有することを特徴とする。
【考案の効果】
【００１１】  本考案の手に持つスケートは、基台部（２）上部の握り部（１）を手に持って、基台部（２）下部の刃部（３）にて滑走する構造であり、手で握り部（１）を持つ単純な構成であるので、スケートの着脱性が良好であり、両手に握ったスケートにより逆立ち等が容易にできるといった効果を有する。【００１２】  基台部（２）下部の刃部（３）を複数本とすることにより、逆立ち等の曲芸をした場合のスケートの安定性が良好となり、片手での逆立ち等も安定してできるといった効果を有する。【００１３】  基台部（２）と刃部（３）の間に支持部（４）を設けることにより、高さの異なる支持部（４）により逆立ち等の高さに変化ができ、着脱性の容易さと相まって曲芸に変化をつけることが容易といった効果を有する。【００１４】  基台部（２）下部の刃部（３）を車輪（５）としてローラースケートのようにすることにより、通常の足に履くローラースケートと組み合わせて用いれば、舞台ステージや地上でも容易に逆立ち等の曲芸ができるといった効果を有する。
【考案を実施するための最良の形態】
【００１５】  従来の靴スケートや下駄スケートと共に用いて、着脱性が良好で、逆立ち等の曲芸も円滑に行なうことができるスケートを提供するといった目的を、基台部上部の握り部を手に持って、基台部下部の刃部にて滑走するといった構造で実現している。以下、図面を参照しながら実施例について説明する。
【実施例１】
【００１６】  図１は手に持つスケートの二面図であり、Ａは側面図、Ｂは正面図である。【００１７】  手に持つスケートの構造は、基台部（２）の上部に握り部（１）を有し、基台部（２）の下部に刃部（３）を有している。【００１８】  手に持つスケートの使用方法は、通常は両足に履いた靴スケートと２個の手に持つスケートを使用し、手に持つスケートは両手にてそれぞれの握り部（１）を持って握り、足に履いた靴スケートで滑走しながら必要に応じて膝と腰を曲げて概四つんばい状態で滑走をしたのち、足を上方に跳ね上げて手に持った二個の手に持つスケートのみで滑走すれば氷上での逆立ち滑走が可能となる。【００１９】  手に持つスケートの刃部（３）は、スピードスケートのように長いもの、ホッケー競技用スケートのように短いもの、フィギュアスケートのように曲面のもの等、用途に応じて長さや形状を変化すれば良い。【００２０】  さらに握り部（１）の形状も手の大きさや用途により適当な形状とすることで持ちやすく安全な滑走が可能となり、手に持つだけの構造なのでスケートの交換（着脱性）も容易なのである。
【実施例２】
【００２１】  図２は複数の刃を持つ例の正面図である。【００２２】  手に持つスケートの刃部（３）を複数本にしてもよく、この例では基台部（２）に２本の刃部（３）を平行に固定している。【００２３】  このように、刃部（３）を複数本並行に固定することにより、手に持つスケートを氷上に立てた時には、刃部（３）が１本の場合では手に持つスケートは横に倒れてしまうが、刃部（３）を２本にすることにより手に持つスケートは氷上に倒れることなく安定して立っているので、手に持つスケートを手に持って氷面上を滑走する時に安定して滑走することができるのである。
【実施例３】
【００２４】  図３は支持棒を有する刃を持つ例の側面図である。【００２５】  基台部（２）と刃部（３）の間を支持部（４）により接続することにより、基台部（２）と刃部（３）の間隔を支持部（４）の長さで調節することができる。【００２６】  適当な支持部（４）の長さを選択することにより、技術が未熟な初心者は支持部（４）がないか非常に短い支持部（４）の手に持つスケートで逆立ち等の練習を行い、熟練するにつれて長い支持部（４）とすることで逆立ち等の曲芸の幅を広げることができるのである。
【実施例４】
【００２７】  図４は刃を車輪にした例の側面図である。【００２８】  刃部（３）をローラースケートのような車輪（５）に変更した例であり、通常の足に履くローラースケートと組み合わせて用いることにより、舞台ステージ、地上でも氷上と同じように逆立ち等の曲芸が可能となるのである。【００２９】  以上、説明したように、本考案の手に持つスケートを用いれば、着脱性が良好で、逆立ち等の曲芸も円滑に行なうことができる手に持つスケートを提供することができる。
【図面の簡単な説明】
【図１】手に持つスケートの二面図
【図２】複数の刃を持つ例の正面図
【図３】支持棒を有する刃を持つ例の側面図
【図４】刃を車輪にした例の側面図
【符号の説明】
１：  握り部
２：  基台部
３：  刃部
４：  支持棒
５：  車輪
【図１】
0003121874.tif 000003
【図２】
0003121874.tif 000004
【図３】
0003121874.tif 000005
【図４】
0003121874.tif 000006